(57)【特許請求の範囲】
【請求項１】
梁と梁とに掛け渡されたプレキャストコンクリート製の床板と、床板の内部及び床板の上に設けられた鉄筋と、鉄筋を埋めるように床板の上に打設されたコンクリートと、を備えた床スラブにおいて、
床板の下面よりも下方に突出するとともに梁から離れて設けられた垂壁を備え、
垂壁は、互いに隣接する床板の端面と端面との間に形成されて床板を貫通する貫通孔に設置されて床板の下面よりも下方に突出するプレキャストコンクリート製の垂壁により形成されたことを特徴とする床スラブ。
【請求項２】
プレキャストコンクリート製の垂壁の内部に埋め込まれるとともに垂壁の上面より突出させたあばら筋の突出長とプレキャストコンクリート製の床板の内部に埋め込まれるとともに床板の上面より突出させたトラス筋の突出長とを同じにしたことを特徴とする請求項１に記載の床スラブ。  
【請求項３】
床板の上に、床スラブ中にコンクリートが充填されない領域を形成するためのブロックを備えたことを特徴とする請求項１又は請求項２に記載の床スラブ。
【発明の詳細な説明】
【技術分野】
【０００１】
本発明は、優れた床衝撃音遮断性能を確保しながらスラブの厚さを薄くできる床スラブに関する。
【背景技術】
【０００２】
梁と梁とに掛け渡されたプレキャストコンクリート製の床板の上に鉄筋を配筋し、床板上にコンクリートを打設することによって形成された床スラブが知られている。
【先行技術文献】
【特許文献】
【０００３】
【特許文献１】特開２００３−３５９６号公報
【発明の概要】
【発明が解決しようとする課題】
【０００４】
従来、床スラブの支配面積が大きくなると床スラブの床衝撃音遮断性能が低下するため、床スラブの支配面積が大きくなる場合は床スラブの厚さ寸法を大きくして床衝撃音遮断性能を向上させるようにしていたが、床スラブの厚さ寸法を大きくすると建物の階高が高くなって重量も重くなるだけではなく、建築コストが嵩む等の問題があった。例えば、空間設計の自由度を確保するため集合住宅における床スラブの支配面積は近年大きくなってきており、この場合、床スラブの中央側に配置される居室の床衝撃音遮断性能が低下するため、床スラブの厚さを厚くする必要があった。
本発明は、優れた床衝撃音遮断性能を確保しながらスラブの厚さを薄くできる床スラブを提供する。
【課題を解決するための手段】
【０００５】
本発明に係る床スラブは、梁と梁とに掛け渡されたプレキャストコンクリート製の床板と、床板の内部及び床板の上に設けられた鉄筋と、鉄筋を埋めるように床板の上に打設されたコンクリートと、を備えた床スラブにおいて、床板の下面よりも下方に突出するとともに梁から離れて設けられた垂壁を備え、垂壁は、互いに隣接する床板の端面と端面との間に形成されて床板を貫通する貫通孔に設置されて床板の下面よりも下方に突出するプレキャストコンクリート製の垂壁により形成されたので、垂壁を設けたことによって揺れにくい床スラブとなり、従来の垂壁を有しない床スラブと比べて、スラブの厚さを薄くできて、床衝撃音遮断性能に優れた構成の床スラブとなるとともに、プレキャストコンクリート製の床板と垂壁とを用いることで、工期短縮を実現できる。
プレキャストコンクリート製の垂壁の内部に埋め込まれるとともに垂壁の上面より突出させたあばら筋の突出長とプレキャストコンクリート製の床板の内部に埋め込まれるとともに床板の上面より突出させたトラス筋の突出長とを同じにしたので、あばら筋と打設コンクリートとの定着長さを確保できるとともに、コンクリート打設時の鉄筋の乱れを防止でき、所望のかぶり厚さを確保できる床スラブを構築できる。
床板の上に、床スラブ中にコンクリートが充填されない領域を形成するためのブロックを備えたので、床スラブを形成するためのコンクリートの打設量を減らすことができ、建物の重量及びコンクリートを低減させ、建築コストを削減できる。
【図面の簡単な説明】
【０００６】
【図１】床スラブの断面図（図３のＢ−Ｂ断面相当図）（実施形態１）
【図２】床スラブの断面図（図３のＡ−Ａ断面相当図）（実施形態１）
【図３】床スラブのコンクリート打設前の状態をＰＣ床板及びＰＣ垂壁の上方側から見た図（上端筋の図示は省略した）（実施形態１）。
【図４】床スラブのコンクリート打設前の状態を示す断面図（図３のＡ−Ａ断面相当図）（実施形態１）。
【発明を実施するための形態】
【０００７】
実施形態１．
図１に示すように、床スラブ１は、互いに対向する梁２と梁２とに掛け渡されたプレキャストコンクリート製の床板３１（以下、ＰＣ床板３１という）を有した床板構成体３と、ＰＣ床板３１の下面３９よりも下方に突出するとともに梁２から離れた位置に設けられたプレキャストコンクリート製の垂壁５１（以下、ＰＣ垂壁５１という）を有した垂壁構成体５と、ＰＣ床板３１及びＰＣ垂壁５１の内部に設けられた鉄筋４と、ＰＣ床板３１及びＰＣ垂壁５１の内部に設けられるとともにＰＣ床板３１の上面３２及びＰＣ垂壁５１の上面５２より突出する鉄筋６と、ＰＣ床板３１及びＰＣ垂壁５１の上に配筋された鉄筋７と、ＰＣ床板３１の上面３２に設置されたブロック８と、鉄筋７を埋めるようにＰＣ床板３１及びＰＣ垂壁５１の上に打設されて固化したコンクリート９と、を備えて構成される。
鉄筋４は、後述する、下端筋３６、主筋５６であり、鉄筋６は、後述するトラス筋３４、あばら筋（スターラップ）５５であり、鉄筋７は、主筋５６、ジョイント筋６１、上端筋６２、スペーサ筋６７である。１０は柱、１１は間柱である。
【０００８】
図４に示すように、床板構成体３は、平面板状に形成されたＰＣ床板３１と、ＰＣ床板３１の上面３２より上方に突出する露出鉄筋部３３とを備える。
ＰＣ床板３１の内部には、トラス筋３４の下端部３５、及び、下端筋３６が埋設されている。
【０００９】
例えば図外の鋼製型枠内に、下端筋３６を配筋し、トラス筋３４の下端部３５を配置してトラス筋３４の下端部３５と下端筋３６とを図外の鉄線等の結束線で結束した後、鋼製型枠内に生コンクリートと呼ばれる流動性を有したコンクリートを流し込み、当該コンクリートが固化することにより、コンクリートが固化した平面板状のＰＣ床板３１と、ＰＣ床板３１の上面３２より上方に突出するトラス筋３４による露出鉄筋部３３とを備えた床板構成体３が形成される。
下端筋３６は、下端筋３６の下側列を形成する複数の下側下端筋３７と、下端筋３６の上側列を形成する複数の上側下端筋３８とにより構成される。複数の下側下端筋３７、及び、複数の上側下端筋３８は、それぞれ、一直線状の鉄筋により形成される。複数の下側下端筋３７は、金型の底面と平行な同一の平面上に設置されるものであって、一直線の延長方向が一方方向Ｘ（図３；図４参照）を向くように配置され、かつ、一方方向と直交する方向である他方方向Ｙ（図１；図３参照）において互いに所定間隔隔てて配置される。複数の上側下端筋３８は、複数の下側下端筋３７の上面と同一の平面上に設置されるものであって、一直線の延長方向が他方方向を向くように配置され、かつ、一方方向において互いに所定間隔隔てて配置される。即ち、下端筋３６は、金型の底面と平行な面上において、複数の下側下端筋３７と複数の上側下端筋３８とが格子網状に配筋されたものである。
【００１０】
ＰＣ床板３１の上面３２には、複数のブロック８が設置される。複数のブロック８は、上記一方方向Ｘ及び他方方向Ｙにおいて互いに所定間隔隔てて並ぶように配置され、図外の固定手段によってＰＣ床板３１の上面３２に固定されている。
トラス筋３４は、一方方向Ｘに間隔を隔てて互いに隣り合うように設置されたブロック８とブロック８との間において他方方向Ｙに沿って連続するように設けられる。
【００１１】
図３に示すように、互いに隣り合う２つのＰＣ床板３１；３１のうちの一方のＰＣ床板３１の一端面２１には切欠部２２が形成され、一方のＰＣ床板３１の一端面２１において切欠部２２が設けられていない部分の面２３と他方のＰＣ床板３１の一端面２４とが突き合わされた場合に、一方のＰＣ床板３１の一端面２１に形成された切欠部２２と他方のＰＣ床板３１の一端面２４とで囲まれた貫通孔２５が形成される。
そして、垂壁構成体５が、上記貫通孔２５を介してＰＣ床板３１を貫通するように設置される。
【００１２】
図１；図４に示すように、垂壁構成体５は、直方体形状に形成されたＰＣ垂壁５１と、ＰＣ垂壁５１の上面５２より突出する露出鉄筋部５３とを備える。
図３に示すように、ＰＣ垂壁５１は、水平横断面形状が上記貫通孔２５の孔の形状と対応する形状に形成され、図４に示すように、上下高さ寸法がＰＣ床板３１の厚さ寸法よりも長く形成された構成である。例えば、水平横断面形状が梁２と直交する方向である他方方向Ｙに長い長方形状で、かつ、上下高さが上下方向に長い長方形状の直方体形状に形成される。ＰＣ垂壁５１は、例えば、他方方向Ｙの長さが５４６０ｍｍ、一方方向Ｘの長さが２００ｍｍ、上下高さが３７５ｍｍの直方体形状に形成される。
【００１３】
例えば図外の鋼製型枠内に、複数のあばら筋５５の下側部分が他方方向Ｙにおいて所定間隔隔てて配置され、複数の主筋５６が複数のあばら筋５５を接続するように複数の主筋５６と複数のあばら筋５５とが結束線で結束された状態で、鋼製型枠内に生コンクリートと呼ばれる流動性を有したコンクリートを流し込み、当該コンクリートが固化することにより、コンクリートが固化した直方体形状のＰＣ垂壁５１と、平面板状のＰＣ床板３１と、ＰＣ垂壁５１の上面５２より突出するあばら筋５５とを備えた垂壁構成体５が形成される。
そして、ＰＣ垂壁５１の上面５２より突出する複数のあばら筋５５の上側部分を接続するように複数の主筋５６と複数のあばら筋５５とが結束線で結束されることで、ＰＣ垂壁５１の上面５２より突出するあばら筋５５と複数の主筋５６とによる露出鉄筋部５３が形成される。
【００１４】
図４に示すように、ＰＣ垂壁５１の上面５２より突出するあばら筋５５の突出長さは、ＰＣ垂壁５１のＰＣ垂壁５１の上端部５９が貫通孔２５内に位置されて、ＰＣ垂壁５１の上面５２とＰＣ床板３１の上面３２とが同一水平面上に位置されるようにＰＣ垂壁５１が設置された状態において、トラス筋３４の突出長さとを同じ長さとなるように形成されたことにより、あばら筋５５の上面５５ａと後述する下側上端筋６３の下面６３ａとが接触した状態で、これらあばら筋５５と下側上端筋６３とが結束線で接続される。
【００１５】
また、ＰＣ垂壁５１の水平横断面形状の大きさは、ＰＣ垂壁５１のＰＣ垂壁５１の上端部５９が貫通孔２５内に位置されて、ＰＣ垂壁５１の上面５２とＰＣ床板３１の上面３２とが同一水平面上に位置されるようにＰＣ垂壁５１が設置された状態において、図１；図２に示すように、ＰＣ垂壁５１の４つの側面６０とこれら４つの側面６０と対向する貫通孔２５の孔壁との間にはそれぞれ隙間ａが形成される。隙間ａは例えば５ｍｍ程度に形成される。隙間ａを設けたので、ＰＣ垂壁５１を上から貫通孔２５に設置する作業が容易となる。
【００１６】
ブロック８は、床スラブ１の厚さ寸法の増大に伴う現場打ちコンクリートの使用量の低減、床スラブ１の重量低減及び集合住宅の建築コストの低減を図ること等を目的として使用される。これらの観点から、ブロック８は、コンクリート９の比重より小さい材料、例えば発泡プラスチック材料、ポリスチレンや硬質ポリウレタンのようなプラスチック材料、スタイロフォーム（商標）、木材等からなるものが使用される。また、ブロック８は、中空体又は図示の例における中実体のいずれであってもよい。
【００１７】
図２に示すように、ブロック８の上面８１は、床スラブ１の上面１ｔにおける衝撃音の発生に起因してブロック８の上面８１を覆う該ブロック８上のコンクリート層８２を伝搬する任意周波数帯域の曲げ波に対する反射面として、凹凸面のような非平坦面に形成される。このような非平坦面に形成されたブロック８の上面８１は、当該上面８１に入射する曲げ波を散乱させることができる。このため、ブロック８の上面８１と、コンクリート層８２の上面１ｔとの間での曲げ波の繰り返しの反射及びこれに伴うコンクリート層８２における共鳴の発生が著しく減少し、これにより、床衝撃音遮断性能、特に、高い周波数帯域（２５０〜２０００Ｈｚ帯域）の衝撃音に対する遮断性能を有する床スラブ１が得られる。
【００１８】
曲げ波の波長は、次の計算式を用いて、算出することができる。
λ＝（π・Ｃ・ｈ／（３1/2・ｆ））1/2
ここで、λは曲げ波の波長（ｍ）、Ｃは曲げ波の伝搬速度（ｍ／ｓ）、ｈはコンクリート層の厚さ（ｍ）、ｆは曲げ波の周波数（Ｈｚ）である。
【００１９】
次に、床スラブ１の施工方法を説明する。
工場等において予め製作された床板構成体３及び垂壁構成体５を床スラブ１の施工現場に搬入する。
一方の床板構成体３のＰＣ床板３１の一端面２１において切欠部２２が設けられていない部分の端面２３と他方の床板構成体３のＰＣ床板３１の一端面２４とが突き合わされて貫通孔２５が形成されるように、２つのＰＣ床板３１；３１の両端部を梁２；２上に設置し、下階の床スラブ１Ａ上に設置された支持装置９０によってＰＣ床板３１の下面３９を支えることで２つの床板構成体３；３を下から支持する（図４参照）。
次に、垂壁構成体５のＰＣ垂壁５１を貫通孔２５の上方から貫通孔２５に通してＰＣ垂壁５１をＰＣ床板３１の下面３９よりも下方に突出させ、ＰＣ垂壁５１の上端部５９が貫通孔２５内に位置されて、ＰＣ垂壁５１の上面５２とＰＣ床板３１の上面３２とが同一水平面上に位置された状態が維持されるように、下階の床スラブ１Ａ上に設置された支持装置９１によってＰＣ垂壁５１の下面５８を支えることで垂壁構成体５を下から支持する（図４参照）。
以上により、床板構成体３；３と垂壁構成体５とが所定の状態に設置される。この状態で、ＰＣ床板３１及びＰＣ垂壁５１の上にジョイント筋６１と上端筋６２とを配筋する。
図３；図４に示すように、ジョイント筋６１は、ＰＣ床板３１の上面３２に配置されたスペーサ筋６７と結束されて、貫通孔２５を跨いで一方のＰＣ床板３１の上面３２と他方のＰＣ床板３１の上面３２とに掛け渡されるように複数設置される。
上端筋６２は、上端筋６２の下側列を形成する複数の下側上端筋６３と、上端筋６２の上側列を形成する複数の上側上端筋６４とにより構成される。複数の下側上端筋６３、及び、複数の上側上端筋６４は、それぞれ、一直線状の鉄筋により形成される。複数の下側上端筋６３は、複数のトラス筋３４上の同一の平面上に設置されるものであって、一直線の延長方向が一方方向Ｘ（図２参照）を向いて複数のトラス筋３４間に跨るように配置され、かつ、一方方向Ｘと直交する方向である他方方向Ｙにおいて互いに所定間隔隔てて配置される。複数の上側上端筋６４は、複数の下側上端筋６３の上面と同一の平面上に設置されるものであって、一直線の延長方向が他方方向Ｙを向くように配置され、かつ、一方方向Ｘにおいて互いに所定間隔隔てて配置される。即ち、上端筋６２は、複数の下側上端筋６３と複数の上側上端筋６４とが格子網状に配筋されたものである。
複数の下側上端筋６３と複数のトラス筋３４とが交差する部分でこれら下側上端筋６３とトラス筋３４とが結束線で結束され、かつ、複数の下側上端筋６３と複数の上側上端筋６４とが交差する部分でこれら下側上端筋６３と上側上端筋６４とが結束線で結束される。
ジョイント筋６１と上端筋６２とを配筋した後に、ＰＣ垂壁５１の上面、及び、ＰＣ床板３１の上面に生コンクリートと呼ばれる流動性を有したコンクリート９を打設する。当該コンクリート９は、上側上端筋６４を埋めて、上側上端筋６４の上面から床スラブ１の上面１ｔまでのかぶり厚さが所望のかぶり厚さとなるまで打設される。
そして、コンクリート９が固化することで、ＰＣ床板３１の下面３９よりも下方に突出するとともに梁２から離れて設けられたＰＣ垂壁５１から成る垂壁を備えた床スラブ１が完成する。
【００２０】
実施形態１によれば、ＰＣ垂壁５１を用いてＰＣ床板３１の下面３９より下方に突出する建物構造耐力上必要の無い垂壁を設けたことによって、揺れにくい床スラブ１としたので、従来の垂壁を有しない床スラブと比べて、スラブの厚さを薄くできてかつ床衝撃音遮断性能に優れた構成の床スラブ１を提供できる。
即ち、スラブの下面に建物構造耐力上必要の無い垂壁を設けた床スラブ１としたことにより、垂壁によってスラブの動きが拘束されて、床スラブ１のインピーダンスレベル（床スラブに衝撃力が加わったときの床スラブの振動のしにくさを表した値）が上昇し、揺れにくい床スラブ１となる。
例えば、垂壁を備えない床スラブにおいて所望の床衝撃音遮断性能を得るためにスラブの厚さが３２０ｍｍ必要であったとすると、本実施形態１の垂壁を備えた床スラブ１によれば、上記所望の床衝撃音遮断性能を得るためにスラブの厚さを３００ｍｍ程度と薄くできるので、従来の垂壁を有しない床スラブと比べて、スラブの厚さを薄くできてかつ床衝撃音遮断性能に優れた構成の床スラブ１を提供できる。
また、床スラブ１の厚さを薄くできることによって、建物の階高を低くでき、床スラブ１を形成するためのコンクリートの打設量を少なくできるので、建物の重量も軽くなり、建築コストを抑えることができる。
【００２１】
また、ＰＣ床板３１とＰＣ垂壁５１とを用いたので、工期短縮を実現できる。
また、床スラブ１中にコンクリートが充填されない領域（ボイド）を形成するためのブロック８を備えたので、床スラブ１を形成するためのコンクリートの打設量を減らすことができ、建物の重量及びコンクリートを低減させ、建築コストを削減できる。
また、ＰＣ垂壁５１の上面５２とＰＣ床板３１の上面３２とが同一面上に位置されるようにＰＣ垂壁５１が設置された状態において、ＰＣ垂壁５１の内部に埋め込まれるとともにＰＣ垂壁５１の上面５２より突出させたあばら筋５５の突出長とＰＣ床板３１の内部に埋め込まれるとともにＰＣ床板３１の上面３２より突出させたトラス筋３４の突出長とを同じにしたので、あばら筋５５と打設コンクリート９との定着長さを長くできて、コンクリート打設時の鉄筋の乱れを防止でき、所望のかぶり厚さを確保できるようになる。
【００２２】
尚、従来、梁と梁との間に両端部が梁と連続するよう梁と直接に接続される小梁が形成されることがあるが、当該小梁は、梁と接続される建物構造耐力上必要な構成であって、配置される位置も限定される。一方、本願の垂壁は、梁と直接に接続されるものではなく建物構造耐力上必要が無いものであり、配置位置を比較的自由に決めることが可能である。
即ち、本願の垂壁は、構造的な制約を受けることがなく、建築設計上支障が無いところに自由に配置でき、かつ、優れた床衝撃音遮断性能を確保しながらスラブの厚さを薄くできる床スラブを実現するものである。
尚、本願では、垂壁はスラブに支持され、床スラブ１の設計は垂壁の荷重を見込んで行われる。一方、小梁の場合、床スラブの荷重を小梁が支持することになる。このように、本願の垂壁を備えた構造と従来の小梁を備えた構造とでは、設計の考え方が逆になる。
【００２３】
垂壁は、どこに設けても良いが、特に、床衝撃音の発生を抑えたいリビングダイニングや主寝室の床スラブ１に設けることにより、リビングダイニングや主寝室の床スラブ１の揺れを抑えることができ、しかも、床スラブ１を形成するためのコンクリートの打設量を減らすことができ、建築コストを削減できる。
【００２４】
実施形態２．
上端側にＰＣ床板３１の上面３２上に載る図外の支持部を有したＰＣ垂壁を備えた垂壁構成体を用いてもよい。この場合、図外の高さ調整具を用いて支持部の位置を上下に調整できるように構成してもよい。当該垂壁構成体を用いれば、支持装置９１を用いずに、ＰＣ垂壁をＰＣ床板３１に支持させることができ、ＰＣ床板３１の上面３２側から貫通孔２５にＰＣ垂壁を落とし込むことで垂壁構成体を所望の状態に設置できるので、施工が容易となる。
【００２５】
実施形態３．
ＰＣ床板３１の下面３９より下方に位置されるＰＣ垂壁５１の水平横断面形状の大きさが貫通孔２５の大きさよりも大きい形状に形成されたものを用いてもよい。即ち、ＰＣ床板３１の下面３９における貫通孔２５の周囲の面に接触する図外の鍔部を有したＰＣ垂壁を備えた垂壁構成体を用いてもよい。この場合、水平横断面形状の大きい垂壁によって床スラブ１に対する拘束力が増すので、同じ床衝撃音遮断性能を、鍔部を有しない実施形態１のＰＣ垂壁を用いた場合のＰＣ床板３１の下面３９から下方に突出するＰＣ垂壁５１の突出長さよりも短い突出長さのＰＣ垂壁を用いて実現できる。しかも、ＰＣ床板３１の下面３９から下方に突出する長さを短くできるので、垂壁部分における下階の天井懐高さを高くできる。
【００２６】
実施形態４．
ＰＣ床板３１の下面より下方に位置されるＰＣ垂壁５１が他方方向Ｙ及び一方方向Ｘに延長する十字形状に形成されたものを用いてもよい。この場合も、水平横断面形状の大きい垂壁によって床スラブ１に対する拘束力が増すので、同じ床衝撃音遮断性能を、実施形態１のＰＣ垂壁を用いた場合のＰＣ床板３１の下面からのＰＣ垂壁５１の突出長さよりも短い突出長さのＰＣ垂壁を用いて実現でき、垂壁部分における下階の天井懐高さを高くできる。
【００２７】
実施形態５．
ＰＣ垂壁５１の上面５２より上方に突出するあばら筋５５の突出長さは、ＰＣ垂壁５１の上面５２とＰＣ床板３１の上面３２とが同一面上に位置されるようにＰＣ垂壁５１が設置された状態において、打設されたコンクリート９との定着が取れる長さであればよい。
また、あばら筋５５の突出長さは、床スラブ１の上面１ｔよりも突出する長さにしておいてもよい。
【００２８】
実施形態６．
上記実施形態では、ＰＣ垂壁５１を用いて垂壁を形成したが、床スラブの施工現場においてのコンクリートの打設によって貫通孔２５の下側に垂壁を形成できるような垂壁打設用の図外の型枠を設置し、型枠内に鉄筋を配置して、現場でのコンクリート打設によって垂壁を形成するようにしてもよい。
【００２９】
実施形態７．
上記実施形態では、ＰＣ床板３１を用いて垂壁部分以外の床スラブ部分を形成したが、梁間に床スラブ打設用の図外の型枠を設置するとともに、垂壁打設用の図外の型枠を設置して、これら型枠の上側に鉄筋を配置し、これら型枠の上にコンクリートを打設することにより垂壁付きの床スラブを形成してもよい。
【００３０】
尚、実施形態１では、ＰＣ垂壁５１の上面５２とＰＣ床板３１の上面３２とが同一水平面上に位置されるようにＰＣ垂壁５１を設置した例を示したが、ＰＣ垂壁５１の上面５２をＰＣ床板３１の上面３２と下面３９との間に位置させるようにしてもよい。例えば、ＰＣ垂壁５１の上面５２が、ＰＣ床板３１の上面３２より下方で、かつ、ＰＣ床板３１の下面３９よりも１０ｍｍ程度上方に位置するようにＰＣ垂壁５１を設置してもよい。このようにすれば、ＰＣ床板３１の上面３２とＰＣ垂壁５１の上面５２との間に段差が生じてＰＣ床板３１の端面とＰＣ垂壁５１の上面５２とで凹部が形成されるので、ＰＣ垂壁５１の上面５２側へのコンクリートの充填性が向上し、ＰＣ床板３１とＰＣ垂壁５１との一体性が良くなる。
【００３１】
また、下側上端筋６３の直下にＰＣ垂壁５１の上側の主筋５６を位置させて、上側の主筋５６の上面とトラス筋３４の上面とのレベルを揃えるようにしてもよい。このようにすれば、下側上端筋６３を下側上端筋６３と直交する主筋５６で支持できるので、下側上端筋６３を良好に支持でき、コンクリート打設時の鉄筋の乱れを防止できる。
【００３２】
垂壁に、例えば設備配管用、電気配線用等の貫通孔を設けてもよい。このようにすれば、設備配管や電気配線を垂壁の貫通孔に通すことができ、設備配管や電気配線の収まりを良好とできる。
【符号の説明】
【００３３】
１  床スラブ、２  梁、４；６；７  鉄筋、８  ブロック、９  コンクリート、
２５  貫通孔、３１  ＰＣ床板、３２  ＰＣ床板の上面、３４  トラス筋、
３９  ＰＣ床板の下面、５１  ＰＣ垂壁、５５  あばら筋。
【図１】
0005969744.tif 000002
【図２】
0005969744.tif 000003
【図３】
0005969744.tif 000004
【図４】
0005969744.tif 000005